(57)【要約】【課題】  眼底写真ではない不正な画像を除去し、すべての画像に撮影関連情報との関連付けを行うことを可能とした眼科用画像記録装置、方法、及びプログラムを提供できる。【解決手段】  撮影された被検眼画像及び撮影時の時間情報を複数取得する。少なくとも時間情報を含む前記撮影時の撮影関連情報を複数取得する。そして、前記被検眼画像群と前記撮影関連情報群を前記撮影時の時間情報と撮影関連情報に含まれる時間情報に基づき関連付け、該関連付けた被検眼画像と撮影関連情報を記録する。【選択図】  図１
2006026215.tif 000002
【特許請求の範囲】
【請求項１】
撮影された被検眼画像及び撮影時の時間情報を複数取得する第一の取得手段と、少なくとも時間情報を含む前記撮影時の撮影関連情報を複数取得する第二の取得手段と、前記被検眼画像群と前記撮影関連情報群を関連付ける制御手段と、該関連付けた被検眼画像と撮影関連情報を記録する記録手段とを備え、前記制御手段は前記撮影時の時間情報と撮影関連情報に含まれる時間情報に基づき関連付けることを特徴とする眼科用画像記録装置。
【請求項２】
撮影された被検眼画像及び撮影時の時間情報を複数取得する第一の取得手段と、前記撮影時の撮影関連情報を複数取得する第二の取得手段と、前記被検眼画像群と前記撮影関連情報群を関連付ける制御手段と、該関連付けた被検眼画像と撮影関連情報を記録する記録手段とを備え、前記制御手段は第二の取得手段の取得時刻を検出し、該検出した時間情報と、前記撮影時の時間情報に基づき関連付けることを特徴とする眼科用画像記録装置。
【請求項３】
前記制御手段は、前記二つの時間情報の差を演算し、該演算結果が所定時間を上回る場合に警告を発する警告手段を有することを特徴とした請求項１または２に記載の眼科用記録装置。
【請求項４】
前記制御手段は、前記二つの取得手段うち、一方の取得からの経過時間を計時し、所定時間に他の出力が得られない場合に、警告を発する警告手段を有することを特徴とした請求項１または２に記載の眼科用記録装置。
【請求項５】
前記制御手段は、前記二つの取得手段の取得順序を監視し、該監視結果が所定パターンと異なる場合に、警告を発する警告手段を有することを特徴とした請求項１または２に記載の眼科用記録装置。
【請求項６】
撮影された被検眼画像及び撮影時の時間情報を複数取得する第一の取得工程と、少なくとも時間情報を含む前記撮影時の撮影関連情報を複数取得する第二の取得工程と、前記被検眼画像群と前記撮影関連情報群を関連付ける制御工程と、該関連付けた被検眼画像と撮影関連情報を記録する記録工程とを備え、前記制御工程は前記撮影時の時間情報と撮影関連情報に含まれる時間情報に基づき関連付けることを特徴とする眼科用画像記録方法。
【請求項７】
被検眼画像と撮影関連情報を関連付けるためにコンピュータを、撮影された被検眼画像及び撮影時の時間情報を複数取得する第一の取得手段と、少なくとも時間情報を含む前記撮影時の撮影関連情報を複数取得する第二の取得手段と、前記被検眼画像群と前記撮影関連情報群を関連付ける制御手段と、該関連付けた被検眼画像と撮影関連情報を記録する記録手段として機能させ、前記制御手段は前記撮影時の時間情報と撮影関連情報に含まれる時間情報に基づき関連付けることを特徴とする眼科用画像記録プログラム。
【発明の詳細な説明】
【技術分野】
【０００１】
本発明は、たとえば眼科医院や集団健診等で用いられる、被検眼の眼底を撮影する眼底カメラなどと接続された眼科用画像記録装置、方法及びプログラムに関するものである。
【背景技術】
【０００２】
例えば、眼科用画像記録装置として、眼底カメラの画像ファイリングシステムが知られている。
【０００３】
このシステムは、記録媒体にアナログビデオ出力を備えたカメラを用いて、アナログビデオ信号に同期を合わせて被検眼像を静止画でキャプチャーするシステムが主流であった。
【０００４】
近年ではデジタル化が容易なことから、眼底カメラのフィルム室に、一般に使われるデジタルカメラが用いられるようになってきている。特に一眼レフタイプのデジタルカメラが用いられるのは、眼底カメラからのリモート撮影が可能であることに加え、今までのフィルムタイプのカメラとの互換性が良く、解像度も眼科用の診断画像として十分なものとなってきたためである。
【０００５】
さらに一般のデジタルカメラからは、画像の保管・検索・閲覧などが容易に行えるように、メモリーカードやケーブル等を経由して、パーソナルコンピュータに画像の転送ができるようになっている。
【０００６】
一方、眼底カメラの画像ファイリングシステムでは、画像とともに（１）いつ（２）どこで撮影された（３）だれの（４）どちらの眼、といった撮影関連情報が必要となる。その為パーソナルコンピュータに撮影関連情報を直接入力したり、眼底カメラから撮影関連情報を出力したりして、これを被検眼画像と関連付けて保存することで達成している事が知られている。
【０００７】
このような技術の一例として、撮影眼（左・右）等の撮影関連情報を撮影機器から自動的に読込む装置が知られている（特許文献１参照）。
【特許文献１】特開２００２−２３８８６０
【発明の開示】
【発明が解決しようとする課題】
【０００８】
しかしながら、被検眼画像と撮影関連情報を確実に関連付けて装置の信頼性を向上させる為には、画像と撮影関連情報がほぼ同時に取得される事が必用となる。これは従来のビデオ信号をキャプチャーする形態では速やかな画像取得が可能な為、問題無く達成出来た。
【０００９】
しかし一般に使われるデジタルカメラで撮影した場合は、デジタルカメラ内部で画像の生成や、大量データの転送が行われるため、画像取得にかなりの時間が必要となる。これを回避する為に、画像の取得終了まで次の撮影を禁止する方法が考えられるが、その場合、蛍光撮影等の撮影間隔の短い撮影ができなくなってしまう。また、連続的な撮影の一枚目の画像だけに撮影関連情報を付け加え、その他の画像には撮影関連情報を関連付けないように構成することで、撮影間隔の短い撮影に対応した場合は、撮影関連情報を持たない画像が複数存在してしまう。
【００１０】
さらに、眼底カメラのフィルム室に一般に使われるデジタルカメラを用いると、通常は眼底カメラからのリモート撮影によって撮影が行われるが、デジタルカメラ本体に装備されている撮影用のスイッチによって撮影動作が行われた場合、眼底カメラで撮影されていない画像（眼底写真ではない不正な画像）が発生してしまう。
【００１１】
また、操作者の意図しないノイズなどにより、画像の生成や転送などが行われてしまう場合も同様である。
【００１２】
この様な可能性を考慮すると、不正画像を回避しながら被検眼画像と撮影関連情報を確実な関連付けを行い、かつ画像の転送時間よりも短い撮影間隔で連続撮影を行う事は、困難であった。
【００１３】
本発明は上記のような課題を解決するためになされたもので、眼底写真ではない不正な画像を除去し、すべての画像に撮影関連情報との関連付けを行うことを可能とした眼科用画像記録装置を提供する事である。
【課題を解決するための手段】
【００１４】
上記の課題を解決するために、本発明の請求項１に記載の眼科用画像記録装置は、撮影された被検眼画像及び撮影時の時間情報を複数取得する第一の取得手段と、少なくとも時間情報を含む前記撮影時の撮影関連情報を複数取得する第二の取得手段と、前記被検眼画像群と前記撮影関連情報群を関連付ける制御手段と、該関連付けた被検眼画像と撮影関連情報を記録する記録手段とを備え、前記制御手段は前記撮影時の時間情報と撮影関連情報に含まれる時間情報に基づき関連付けることを特徴とする。
【００１５】
また本発明の請求項６に記載の眼科用画像記録方法は、撮影された被検眼画像及び撮影時の時間情報を複数取得する第一の取得工程と、少なくとも時間情報を含む前記撮影時の撮影関連情報を複数取得する第二の取得工程と、前記被検眼画像群と前記撮影関連情報群を関連付ける制御工程と、該関連付けた被検眼画像と撮影関連情報を記録する記録工程とを備え、前記制御工程は前記撮影時の時間情報と撮影関連情報に含まれる時間情報に基づき関連付けることを特徴とする。
【００１６】
また本発明の請求項７に記載の眼科用画像記録プログラムは、被検眼画像と撮影関連情報を関連付けるためにコンピュータを、撮影された被検眼画像及び撮影時の時間情報を複数取得する第一の取得手段と、少なくとも時間情報を含む前記撮影時の撮影関連情報を複数取得する第二の取得手段と、前記被検眼画像群と前記撮影関連情報群を関連付ける制御手段と、該関連付けた被検眼画像と撮影関連情報を記録する記録手段として機能させ、前記制御手段は前記撮影時の時間情報と撮影関連情報に含まれる時間情報に基づき関連付けることを特徴とする眼科用画像記録プログラム。
【発明の効果】
【００１７】
眼底写真ではない不正な画像を除去し、すべての画像に撮影関連情報との関連付けを行うことを可能とした眼科用画像記録装置を提供する事ができる。
【発明を実施するための最良の形態】
【００１８】
図１は、眼科用画像記録装置の１つである散瞳型眼底カメラを用いたファイリングシステムの構成を示すものである。ファイリングシステム１１０は、散瞳型眼底カメラ１０１とファイル管理用のパーソナルコンピュータ１０２によって構成されている。この散瞳型眼底カメラ１０１には、内部にＣＣＤ等の受光センサーを持つことでデジタル画像を生成するデジタルカメラ１０１ａ、撮影開始スイッチ１０１ｂが構成されている。散瞳型眼底カメラ１０１からパーソナルコンピュータ１０２へは２通りの通信経路を用いており、通信経路１０７には、デジタルカメラ１０１ａより画像データＳｉｇ１０４が出力され、またパーソナルコンピュータ１０２からは、Ｓｉｇ１０６によりデジタルカメラ１０１ａの状態を検出する。通信経路１０８には、散瞳型眼底カメラ１０１から撮影関連情報Ｓｉｇ１０３が出力され、また、パーソナルコンピュータ１０２からは、撮影動作が可能な状態になったことを示す撮影許可信号Ｓｉｇ１０５が出力される。
【００１９】
次に本発明の詳細部の構成について説明する。図２は、本実施例の詳細部の構成を示したもので、散瞳型眼底カメラ１０１内部には、デジタルカメラ１０１ａ、撮影開始スイッチ１０１ｂ、散瞳型眼底カメラ１０１の制御を行う眼底カメラ制御部２０５、散瞳型眼底カメラ１０１の撮影情報管理部２０６で構成されている。さらに、デジタルカメラ１０１ａ内部には、ＣＣＤ等の受光センサー２０１、デジタルカメラ１０１ａの撮影スイッチ２０２、デジタルカメラ１０１ａの制御を行うデジタルカメラ制御部２０３、デジタルカメラ１０１ａの画像を生成する画像データ生成部２０４が構成されている。
【００２０】
また、パーソナルコンピュータ１０２の内部には、画像データ生成部２０４から出力された画像データを保存する画像データ保存部２１１、撮影情報管理部２０６から出力された撮影関連情報を保存する撮影関連情報保存部２１２、画像データと撮影関連情報から撮影関連情報を付加した画像ファイルを作成する画像ファイル作成部２１３、撮影関連情報付き画像ファイルを保存するファイル保存部２１４、患者名や撮影場所など撮影条件情報を入力する撮影条件情報入力部２１５、またパーソナルコンピュータ１０２の制御を司る演算処理部２１６、また不正画像が認識された際に警告を発する警告発生手段２１７が構成されている。
【００２１】
以上説明したファイリングシステム１１０の構成において、患者選択から画像の保存までの大まかな流れを説明する。まず撮影する患者が決まると、パーソナルコンピュータ１０２では、撮影条件情報入力部３１５を用いて患者の選択や患者情報の確認等が行われる。次に患者に対する情報が確定した時点で、この撮影を可能とする為、通信経路１０７を介して撮影許可信号Ｓｉｇ１０５を出力する。この撮影許可信号Ｓｉｇ１０５の出力によって、散瞳型眼底カメラ１０１の操作が可能になる。被検眼に対するアライメント操作やフォーカス操作が行われ、撮影部位が決定すると、操作者は散瞳型眼底カメラ１０１の撮影開始スイッチ１０１ｂを操作して眼底撮影を行う。眼底カメラ１０１は、光路切り換え等を行った後、図示しないストロボ光源を発光させると同時に、デジタルカメラ１０１ａに対し、リモート撮影信号を発行する。ストロボ光源で照明された被検眼眼底像は、図示しない光学系を介してデジタルカメラ１０１ａの受光センサー２０１に結像する。デジタルカメラ制御部２０３は、リモート撮影信号を受け取り、画像データ生成部２０４にて画像生成時刻を付加した画像データの生成を実行する。画像データの生成が終了すると、パーソナルコンピュータ１０２は、通信経路１０８を介してＳｉｇ１０６により、画像の生成を検出する。デジタルカメラ制御部２０３は生成終了後、パーソナルコンピュータ１０２から画像転送要求を受けて、画像データの転送を行う。パーソナルコンピュータ１０２は、通信経路１０８を介してＳｉｇ１０４の画像データを画像データ保存部２１１に対し保存を開始する。
【００２２】
これと同時に散瞳型眼底カメラ１０１は、撮影終了後に、撮影時刻・左右眼・撮影画角・撮影光量・タイマー情報などの撮影関連情報の収集を行い撮影情報管理部２０６に撮影関連情報を記録する。撮影情報管理部２０６に記録された撮影関連情報は、撮影関連情報Ｓｉｇ１０３として出力される。パーソナルコンピュータ１０２は、出力された撮影関連情報Ｓｉｇ１０３を撮影関連情報保存部２１２に保存する。ここで画像データ保存部２１１、撮影関連情報保存部２１２にすべてのデータが保存されると、演算処理部２１６は、画像データに付加された生成時刻と、撮影関連情報に含まれる撮影時刻とを比較して２つの時刻情報が許容範囲内であれば、画像ファイル作成部２１３に対してファイルの作成を指示する。画像ファイル作成部２１３は、画像データに撮影関連情報を付加した新規ファイルを作成する。ここでファイル作成が終了すると、画像ファイル保存部２１４に対し作成したファイルの保存を実行する。以上が患者選択から画像保存までのおおまかな流れであるが、次にタイミングチャートを用いて本発明の詳細な説明を行う。
【００２３】
図３は、本システムの撮影及びデータ転送等の詳細な処理手順を示すタイミングチャートである。まず操作者が撮影スイッチ１０１ｂを押すことにより、撮影スイッチ信号がＯＮ状態に変化する。その後散瞳型眼底カメラ１０１は、光路の切り換え等の処理を終了後、図示しないストロボ照明を発光させると被検眼像がデジタルカメラのセンサー２０１に結像する。眼底カメラ１０１は、同時にデジタルカメラ１０１ａに対してリモート撮影信号を送信する。それにより、デジタルカメラ１０１ａにて図３に示す画像生成処理が開始される。パーソナルコンピュータ１０２は、通信経路１０７を介して定期的に画像生成状態を検出しており、デジタルカメラ１０１ａにて画像生成が終了したことを受けて、画像生成の完了を検出する。ここでパーソナルコンピュータ１０２内の演算処理部２１６は画像生成検出完了のタイミングＴ３０１にて、検出時刻を記憶すると同時に、以後のデータ転送を監視するタイマーＴ３０２をスタートさせる。ちなみに点線部で示すＴ３０３は、Ｔ３０２のタイムアウト期間を示す。次に演算処理部２１６はデジタルカメラ１０１ａに対して生成された画像データの転送を要求する。これにより図３に示す画像データ転送は、動作状態へと変化する。一方散瞳型眼底カメラ１０１は、撮影後の処理が終了すると、撮影情報管理部２０６においてＴ３０５にて撮影スイッチが押された撮影時刻情報を含んだ撮影関連情報の収集及び記録を行う。撮影関連情報の記録が終了すると、パーソナルコンピュータ１０２の関連情報保存部２１２に対して、Ｔ３０６のタイミングで撮影関連情報の転送を開始する。パーソナルコンピュータ１０２内演算処理部２１６は、転送開始時刻を記憶する。以降演算処理部２１６は、常に２つのデータの転送状況を監視し、画像データ及び撮影関連情報の両方の転送が完了した時点Ｔ３０４（ここでは画像データの転送完了時点）で、タイマーＴ３０２をストップする。図３においてはタイムアウトＴ３０３以内に画像データ及び撮影完了情報の転送が正常に完了したため、タイムアウトに関する警告動作は行わずに、取得された時間情報のチェックを行う。まずは、Ｔ３０１を検出した時刻情報と、Ｔ３０４で取得した画像情報に含まれる生成時刻情報が所定値以内であることを確認する。さらに撮影関連情報の転送開始を検出した時刻情報と、撮影関連情報に含まれる時刻情報が所定値以内であることを確認する。さらに画像データに関する時刻情報と、撮影関連情報データに関する時刻情報が所定値以内であることを確認し、画像データと撮影関連情報が同一撮影で発生したデータであると認識する。それを受けて画像ファイル作成部２１３に於いて撮影関連情報を付加した画像ファイルの作成を行う。図３に示す２回目の撮影も同様の処理となる。以上図３の説明においては、画像データに関して、画像生成の検出時刻と、画像データに含まれる時刻情報の両方を用いて確認をおこなったが、いずれか一方でも撮影関連情報に関する時刻情報との比較処理を行うことは可能となる。また画像データに時刻情報が含まれている例を示したが、時刻情報のみ独立に取得または検出可能なデジタルカメラの場合、それを用いても良い。また撮影関連情報に関して、撮影関連情報を検出した時刻情報と、撮影関連情報に含まれる時刻情報の両方を用いて確認を行ったが、いずれか一方でも画像データに関する時刻情報との比較処理を行うことは可能となる。また、図３の説明において、撮影情報の転送開始が、画像生成の検出タイミングよりも遅い例を示したが、撮影情報の転送が画像生成よりも早い場合は、撮影情報の転送を基準にタイマー４０２をスタートさせても同様の効果が得られる。またこの図３を用いた説明は正常に終了したケースであるが、ここでデジタルカメラ１０１ａの故障や画像データ転送経路１０７の断線やノイズの発生、散瞳型眼底カメラ１０１内部の故障や、通信経路１０８の断線やノイズの発生などにより、タイマーＴ３０２がタイムアウト期間Ｔ３０３を越えた場合、演算処理部２１６は、警告発生手段２１７に対して警告の発生を指示する。警告の発生方法の詳細は後述する。
【００２４】
次に図４は螢光撮影等の連続撮影を示すタイミングチャートである。眼底カメラ１０１の撮影操作により撮影が開始されると、演算処理部２１６は、タイミングＴ４０１で画像の生成を検出し、Ｔ４０２のタイマーをスタートしている。しかしながら連続撮影の為、一枚目の画像データ転送中のタイミングＴ４０３で、次の撮影操作が開始されている。そこで演算処理部２１６は、次の画像生成を検出したＴ４０４時点で、２個目のタイマーＴ４０６をスタートさせ、同時にＴ４０４の検出時刻を記憶する。２個目のタイマーＴ４０６は、撮影関連情報の転送状況を監視するタイマーで、撮影関連情報のタイムアウトエラーを検出する。次にＴ４０１で生成された画像データの転送が終了すると、演算処理部２１６は、デジタルカメラ１０１ａに対してタイミングＴ４０４で生成された２枚目の画像の転送要求を行う。演算処理部２１６は、２枚目の画像データの転送が開始されると、画像データ保存部２１１に保存を指示すると同時に、Ｔ４０５に示す画像データ転送監視用のタイマーをスタートさせる。２枚目の画像データの転送が完了した時点で、演算処理部２１６は画像データ中に含まれる画像生成時刻データと、撮影関連情報に含まれる撮影時刻情報を比較する。２つの時刻情報が許容範囲内で一致すれば、２回目の撮影で生成された画像データと撮影関連情報であると認識し、２回目の撮影関連情報と合わせて画像ファイル作成部２１３にてファイルの作成を実行させる。以下同様に処理する事で、画像データの転送時間が撮影間隔を上回る場合に於いても、画像データと撮影関連情報の確実な一致と及びエラー検出が可能となる。図８は、画像ファイル作成部２１３で処理される内容を示し、転送された画像データ８０２と、転送された撮影関連情報８０３から一つのファイルを作成し、パーソナルコンピュータ１０２のディプレイに８０１の様に表示を行う例を示す。
【００２５】
図５は、画像データと撮影関連情報が一致しないエラーの例を示す。Ｔ５０１で通常の撮影が行われ、先に説明した手順で正常に処理が行われる。次にＴ５０２で操作者が誤ってデジタルカメラ１０１ａにある撮影スイッチ２０２を押してしまった場合を示している。撮影スイッチ２０２を押しても、同様にデジタルカメラ１０１ａ内部に画像が生成され、パーソナルコンピュータ内の演算処理部２１６は、Ｔ５０３のタイミングで画像の生成を検出し、タイマーＴ５０４をスタートさせると同時に、デジタルカメラ１０１ａに対して画像データの転送を要求する。しかしながら散瞳型眼底カメラ１０１の撮影スイッチ１０１ｂは押されていない為、眼底カメラは撮影処理という認識は無く、撮影関連情報の収集や転送は行わない。ここで画像データの転送はＴ５０６で終了するが、撮影関連情報の転送が開始されない為、タイマーＴ５０４はストップしない。次にタイマーＴ５０４がタイムアウト設定Ｔ５０７を経過したタイミングＴ５０７で演算処理部２１６は不正画像を認識し、警告発生手段２１７に対して警告発生を指示する。図９は、警告方法の一例を示し、２枚目の撮影が眼底カメラ１０１の操作によらない画像被検眼像を含んでいない画像の為、警告発生手段は９０１に示す様に不正画像に×印を表示し、不正な操作により取り込まれた画像であることを操作者に警告する。
【００２６】
また図５の説明において、Ｔ５０３からのタイムアウトで検出したが、撮影関連情報が画像データよりも常に早く取得出来ることを取得パターンとして利用し、タイマーを起動せずに画像データの転送が終了したＴ５０６時点で、撮影関連情報が取得されないこと、つまり取得状況が所定パターンと異なることをもってエラーと識別しても良い。
【００２７】
次に図６について説明する。図６は、図４と同様に螢光撮影等の連続撮影を示していおり、Ｔ６０１に示すタイミングで、外部からのノイズ混入等によりデジタルカメラに対し意図しないリモート撮影指示が発行された例を示す。パーソナルコンピュータ１０２内の演算処理部２１６は、Ｔ６０２で画像生成を検出してタイマーＴ６０３をスタートさせる。次に散瞳型眼底カメラ１０１から撮影関連情報がタイムアウト設定期間Ｔ６０４を上回れば、図５で説明した通り、エラー検出する事が可能となるが、タイミングＴ６０５にて操作者により正式な次の撮影操作が行われた為、Ｔ６０６のタイミングで撮影関連情報の取得が終了する。従って撮影関連情報タイムアウトエラーは検出出来ない。次に誤って生成取得された画像データの転送は、Ｔ６０７で開始されＴ６０８で終了する。Ｔ６０８で転送が完了すると演算処理部２１６は、画像データ中に含まれる画像生成時刻を確認後、撮影関連情報中に含まれる撮影時刻情報との比較を行う。ここで誤って生成取得された画像データは、眼底カメラ１０１が撮影を行う以前に生成された画像、すなわち不正画像であることが認識される。しかしながら螢光撮影等の連続撮影は、エラーによって撮影操作を中断すると操作性が大きく低下することより、演算処理部２１６は、取得動作を停止せずに続行する。次にＴ６０５で撮影された画像データが、Ｔ６０９の転送で取得され、画像データに含まれる生成時刻情報からＴ６０６時の撮影関連情報の撮影時刻と一致する事が確認される。ここで以下同様な手順で一致した画像データと撮影関連情報から画像ファイルを作成し、以降の画像データ及び撮影関連情報の取得を継続する。また演算処理部２１６は、不正画像が認識された時点で警告発生手段２１７に対して警告の発生を実行させるが、その表示方法例を図１０に示す。ここで、２枚目の画像が誤って取り込まれた不正画像を意味し、以降の画像が正確に取り込まれている状態を示す。以上の手順により、連続撮影中に誤って生成取得された不正画像の検出及び、撮影を画像データと撮影関連情報の確実な関連付けが可能となる。
【００２８】
図７のタイミングチャートは、Ｔ７０１のタイミングで２回目の撮影処理が開始されたが、デジタルカメラ１０１ａに対する制御経路の故障でによりデジタルカメラ１０１ａに対して、リモート撮影指示が行えなかった状態を示す。この場合、２回目の撮影操作が行われたにも関わらず、画像は生成されず、画像生成の検出が行われない。しかしながら、眼底カメラ１０１はそれを認識出来ずに、Ｔ７０２のタイミングで画像関連情報の転送を開始する。演算処理部２１６は、画像生成が検出されない状態にも関わらずＴ７０３で撮影関連情報の転送が完了したことをもって、出力順序が所定のパターンと異なる事を認識し、警告発生手段２１７に対して警告の発生を指示する。この場合画像データは存在しない為、例えば“デジタルカメラ１０１ａから画像が転送されません。デジタルカメラ１０１ａの点検をお願いします。”などの警告を表示する方法が考えられる。またＴ７０２のタイミングで、監視用タイマーをスタートさせて、所定時間内に画像データの取得が完了しないことをもってエラーを認識しても良い。
【００２９】
以上、図３〜図７を用いて説明した通り、撮影間隔よりも画像データ転送が長い場合に於いても、的確に画像データと撮影関連情報をリンクする事が可能となり、撮影中に発生した不正画像に対しても的確に、しかも撮影を中断する事無く、警告を発生することが可能となる。
【００３０】
また、図５，６，７を用いて説明した、明らかに不正画像と判断可能な場合は、不正画像を画像ファイル保存部２１４に保存しない機能を付加するとさらに操作性の向上と、不要な記録媒体容量の節約が達成出来る。
【００３１】
また本実施例では不正画像に対する警告を中心に説明したが、図７で示したデジタルカメラ１０１ａに対する点検警告や、また撮影関連情報の不備や転送エラーを検出して、眼底カメラ１０１に対する警告や、通信経路に対する警告を出すようにしても良い。
【００３２】
また本実施例では、連続撮影時に本発明の効果の大きい散瞳型眼底カメラを用いたファイリングシステムとして説明してきたが、同様な構成をした散瞳型眼底カメラにおいても応用できることは明らかである。
【００３３】
以上説明したように、本発明による眼科用画像記録装置は、次の撮影までに画像データの転送が完了しない場合においても撮影した画像データと撮影関連情報の関連付けが確実に行える。従って、蛍光撮影のような連続的な撮影の際にも、患者ＩＤ、撮影眼、撮影場所などの管理が可能となる。
【００３４】
さらに、眼底カメラに付加されたデジタルカメラの誤操作やノイズ及び故障などにより発生した不正な画像をさまざまな方法で検出可能となっているの為、撮影を中断することなく操作者に不正画像を的確に警告するとことが可能となる。さらに不正画像を保存しない機能を付加することで、眼底写真以外の不必要な画像を保存することがなく保存容量の節約ができる。
【００３５】
（他の実施形態）
また実施形態１の機能を実現する様に各種のデバイスを動作させる様に該各種デバイスと接続された装置あるいはシステム内のコンピュータに、前記実施形態機能（例えば、図３のタイミングチャートにより実現される機能）を実現するためのソフトウエアのプログラムコードを供給し、そのシステムあるいは装置のコンピュータ（ＣＰＵあるいはＭＰＵ）を格納されたプログラムに従って前記各種デバイスを動作させることによって実施したものも本発明の範疇に含まれる。
【００３６】
またこの場合、前記ソフトウエアのプログラムコード自体が前述した実施形態の機能を実現することになり、そのプログラムコード自体、及びそのプログラムコードをコンピュータに供給するための手段、例えばかかるプログラムコードを格納した記憶媒体は本発明を構成する。
【００３７】
かかるプログラムコードを格納する記憶媒体としては例えばフロッピー（登録商標）ディスク、ハードディスク、光ディスク、光磁気ディスク、ＣＤ−ＲＯＭ、磁気テープ、不揮発性のメモリカード、ＲＯＭ等を用いることが出来る。
【００３８】
またコンピュータが供給されたプログラムコードを実行することにより、前述の実施形態の機能が実現されるだけではなく、そのプログラムコードがコンピュータにおいて稼働しているＯＳ（オペレーティングシステム）、あるいは他のアプリケーションソフト等と共同して前述の実施形態の機能が実現される場合にもかかるプログラムコードは本発明の実施形態に含まれることは言うまでもない。
【００３９】
更に供給されたプログラムコードが、コンピュータの機能拡張ボードやコンピュータに接続された機能拡張ユニットに備わるメモリに格納された後そのプログラムコードの指示に基づいてその機能拡張ボードや機能格納ユニットに備わるＣＰＵ等が実際の処理の一部または全部を行い、その処理によって前述した実施形態の機能が実現される場合も本発明に含まれることは言うまでもない。
【図面の簡単な説明】
【００４０】
【図１】散瞳型眼底カメラを用いたファイリングシステムの構成図である。
【図２】本実施例の詳細部の構成図である。
【図３】撮影動作のタイミングチャート図である。
【図４】撮影動作のタイミングチャート図である。
【図５】撮影動作のタイミングチャート図である。
【図６】撮影動作のタイミングチャート図である。
【図７】撮影動作のタイミングチャート図である。
【図８】転送データと表示イメージを示した図である。
【図９】転送データと表示イメージを示した図である。
【図１０】転送データと表示イメージを示した図である。
【図１】
2006026215.tif 000003
【図２】
2006026215.tif 000004
【図３】
2006026215.tif 000005
【図４】
2006026215.tif 000006
【図５】
2006026215.tif 000007
【図６】
2006026215.tif 000008
【図７】
2006026215.tif 000009
【図８】
2006026215.tif 000010
【図９】
2006026215.tif 000011
【図１０】
2006026215.tif 000012